(57)【要約】【課題】「特に、ベッド療養生活をする人たちに、その人の療養状態に応じた身体全体の“ねじりストレッチ効果”を甘受させたい」を達成した簡単構成のベッドを提供する【解決手段】寝床マットは、回転傾動可能にした上傾動フレームと、下傾動フレームと、この上・下傾動フレーム間に設けた複数のパイプ式の伸縮縦フレームとから構成し、上傾動フレームと下傾動フレームを逆方向に回動傾動させる回転傾動駆動機構を設けたねじれマット式ベッド。【選択図】        図１
0003145787.tif 000002
【実用新案登録請求の範囲】
【請求項１】
ベッド基台に  矩形の寝床マットを設けたベッドにおいて、寝床マットを上傾動フレームと、下傾動フレームと、この上・下傾動フレーム間に設けた複数のパイプ式の伸縮縦フレームとから構成し、上傾動フレームと、下傾動フレームは、その中央部をベッド基台に回転傾動可能に装着し、パイプ式の伸縮縦フレームは、一対のパイプの中央部を回転伸縮摺動自在に嵌合し両端部を回転自在継手を介して当該傾動フレームに接続し、上傾動フレームと下傾動フレームを回動傾動させる回転傾動駆動機構を設けたことを特徴とするねじれマット式ベッド。
【請求項２】
前記回転自在継手をボールジョイント又はユニバーサルジョイントにしたことを特徴とする請求項１に記載のねじれマット式ベッド。
【請求項３】
前記回転傾動駆動機構は、ベッド長手方向に亘る回転駆動軸の両端部に円盤クランクを設け、この円盤クランクを回転自在に収容し円盤クランクの転動で左右に揺動するクランクボックスを傾動フレーム中央部に固定し、円盤クランクと回転駆動軸とは円盤クランクの円心から半径方向の任意の位置に固定・解除可能に装着したことを特徴とする請求項１に記載のねじれマット式ベッド。
【請求項４】
ベッドの枕部枠を回動自在に設け、その枕部に上下に移動して枕高さを可変する枕高さ調節機構を付設したことを特徴とする請求項１に記載のねじれマット式ベッド。
【考案の詳細な説明】
【技術分野】
【０００１】
本考案は、ねじれマット式ベッドに関するものである。
【背景技術】
【０００２】
自力で身動きが殆どできない状態でベッド療養される寝たきり老人のために、寝たままの姿で、無理にならない範囲で姿勢を変化させて効果のあるねじれ運動ができるベッドを本考案者は開発した。
従来、病人用のベッドとして紹介されているものは、特許文献１〜特許文献３などに見られるように、大掛かりで複雑な機構にした(1)上半身のみを所定角度起こすタイプの二つ折ベッド（特許文献１と２）。(2) 上半身と下肢の上・下脚毎に分割して適宜な角度に調節する三つ折ベッド（特許文献３）等が主流を占めている。
【０００３】
しかしこれらの折畳式ベッドは、身体をねじることができない。身体全体を適宜に、ねじりストレッチすることは身体の体液の循環機能と筋肉の活性化、気分転換などの健康維持に好ましい効果が得られることは周知であるが、ベッド療養生活をする人たちにも寝ながらにしてこのねじりストレッチ効果を甘受させたい。
＜過去２０年間で「折畳式ベッド」を紹介の公開公告公報からの抜粋＞
【特許文献１】特開2008-136780号公報
【特許文献２】特開2007-190366号公報
【特許文献３】特開2007-61361号公報
【考案の開示】
【考案が解決しようとする課題】
【０００４】
本考案の主な課題は、寝床マットを簡単な構成で、しかも寝床マットをあらゆる傾斜角度に刺激感度のない緩やかで円滑にねじれ回動させることを可能にし、一般健常者の健康促進は勿論のこと、前述した本考案者の思い「ベッド療養生活をする人たちに、その人の療養状態に応じた身体全体の“ねじりストレッチ効果”を甘受させたい」を達成した「ねじれマット式ベッド」を提供するものである。
【課題を解決するための手段】
【０００５】
上記課題を満足させる本考案の基本的な技術構成は、次の(1)〜(4)の通りである。
(1)、ベッド基台に  矩形の寝床マットを設けたベッドにおいて、寝床マットを上傾動フレームと、下傾動フレームと、この上・下傾動フレーム間に設けた複数のパイプ式の伸縮縦フレームとから構成し、上傾動フレームと、下傾動フレームは、その中央部をベッド基台に回転傾動可能に装着し、パイプ式の伸縮縦フレームは、一対のパイプの中央部を回転伸縮摺動自在に嵌合し両端部を回転自在継手を介して当該傾動フレームに接続し、上傾動フレームと下傾動フレームを逆方向に回動傾動させる回転傾動駆動機構を設けたことを特徴とするねじれマット式ベッド。
(2)、前記回転自在継手を上下左右の首振回転自在なボールジョイント又はユニバーサルジョイントにしたことを特徴とする前記(1)に記載のねじれマット式ベッド。
(3)、前記回転傾動駆動機構は、ベッド長手方向に亘る回転駆動軸の両端部に円盤クランクを設け、この円盤クランクを回転自在に収容し円盤クランクの転動で左右に揺動するクランクボックスを傾動フレーム中央部に固定し、円盤クランクと回転駆動軸とは円盤クランクの円心から半径方向の任意の位置に固定・解除可能に装着したことを特徴とする前記(1)に記載のねじれマット式ベッド。
(4)、ベッドの枕部枠を回動自在に設け、その枕部に上下に移動して枕高さを可変する枕高さ調節機構を付設したことを特徴とする前記(1)に記載のねじれマット式ベッド。
【考案の効果】
【０００６】
本考案の「ねじれマット式ベッド」は、主に前記のパイプ式の伸縮縦フレームと、円盤クランク式の回転傾動駆動機構とにより、寝床マット自体をその上側と下側を同時にしかも回転傾動速度を個別に設定して、あらゆる傾斜角度に刺激感度のない緩やかで円滑なねじり回動させることを可能にしたものである。
このねじれマット式ベッドにより、寝ながらにして多種多様のダイエット用ストレッチ運動を総括し、肥満者の減量促進、健常者のスリム化と美容促進、内脂肪の除去、一般者の健康促進など幅広い範囲に亘って応用することができるものである。
そして、これ等の効果により、前述した本考案者の思い「特に、ベッド療養生活をする人たちに、その人の療養状態に応じた身体全体のストレッチ効果を甘受させたい」を有利に達成したものである。
【考案を実施するための最良の形態】
【０００７】
本考案の  を実施するための最良の形態は、次に紹介する実施例により詳細に説明する。
【実施例１】
【０００８】
本例のマット式ベッド100は、脚部101とベッド基台102と上半身用の矩形の寝床マット200と下半身用の折り畳み枠400（収容と延床用）を設けてある。
寝床マット200は、上傾動フレーム201と、下傾動フレーム202と、この上・下傾動フレーム間に設けた複数のパイプ式の伸縮縦フレーム210とから構成してある。
上傾動フレーム201と、下傾動フレーム202は、その中央部を回転軸203、204によりベッド基台102に回転傾動可能に装着する。
【０００９】
パイプ式の伸縮縦フレーム210は、一対のパイプ211、212の中央部を回転伸縮摺動自在に嵌合し両端部を十字軸231-1、232-1を有するユニバーサルジョイント（回転自在継手）231、232を介して当該傾動フレーム201、202に接続する。
上傾動フレーム201と下傾動フレーム202を回動傾動させる回転傾動駆動機構300は、ベッド基台102に電動モータ301と歯車減速機構302を搭載し、歯車減速機構302からの回転駆動軸303をベッド長手方に亘らせ、その両端部に円盤クランク304、305を装着し、この円盤クランク304、305をクランクボックス306、307内に収容し、潤滑メタル306-1,307-1で回転自在に保持され、前記クランクボックス306、307の上部を当該傾動フレーム201、202の中央下部に固定したものである。これで円盤クランク304、305の回転で上傾動フレーム201と下傾動フレーム202は左右に揺動される。
【００１０】
円盤クランク304、305と回転駆動軸301との装着は、円盤クランクの円心から半径方向に長穴304-1、305-1を設けその任意の位置に回転駆動軸303を位置させて回転駆動軸303の外周に螺合した締め螺子308、309の回転により、中央部で離間可能に螺合したクランプ板310、311で円盤クランク自体を挟持固定し且つその解除をするものであり、これで長穴の半径方向位置と、回転駆動軸303との回転角度位置を利用者の利用目的や好みに応じて任意に容易に変更することを可能にしたものである。
【００１１】
つまり、この装着機構により、上傾動フレーム201と下傾動フレーム202に対する傾斜状態は、例えば円盤クランクと回転駆動軸との接合位置を一方のみを円盤クランクの円心に一固定すれば他方を単独で左右に傾斜させて伸縮縦フレーム210をねじり傾斜させることができる、又円盤クランクと回転駆動軸との接合位置の両方を円盤クランクの円心から偏位させ回転駆動軸との回転角度位置関係を同じにすれば両方を同時に同一方向に同じ傾斜角度に傾斜させて伸縮縦フレーム210を単純傾斜させることができ、又回転駆動軸に対する回転角度位置関係を180度にすれば図３の(2)に示す如く、上傾動フレーム201と下傾動フレーム202の両方を同時に逆方向に傾斜させて伸縮縦フレーム210を大きくねじり傾斜させることができる、更にこの上傾動フレーム201及び又は下傾動フレーム202の傾斜角度は円盤クランクの円心から回転駆動軸301の偏位量を変えることで個別に調節することができる等の優れた機構である。
【００１２】
一方、ベッド基台102の上端には、軸機構410により下半身用の折り畳み枠400を折り畳み回動自在に設ける。
折り畳み枠400のマット401には、横スライドバー402にスライド自在に支持した足枕部403を設けてある。これで利用者は寝床マット200により上半身がねじられ乍ら下半身が左右に横揺れされる。
足枕部403の位置調節は、横スライドバー402の両側を長穴部404に通し、ダイヤルハンドル405で長穴部404の任意の位置に固定することとその解除により行うようにしてある。
【産業上の利用可能性】
【００１３】
本考案は、上述のように優れた作用効果を呈するものであり、一般家庭、老人ホーム、医療機関等におけるストレッチベッド、介護ベッド、療養ベッドなどに広く適用普及することができるので、この種産業界に多大な貢献をもたらすものである。
【図面の簡単な説明】
【００１４】
【図１】本考案の実施例１の側面説明図である。
【図２】実施例１の平面説明図である。
【図３】(1)は実施例１の図２矢視Ａ−Ａからの正面説明図である。(2)は上傾動フレーム201と下傾動フレーム202を逆に傾動させた状態を示す説明図である。
【符号の説明】
【００１５】
100マット式ベッド
101脚部
102ベッド基台
200上半身用の矩形の寝床マット
201上傾動フレーム
202下傾動フレーム
210パイプ式の伸縮縦フレーム
203、204回転軸
231-1、232-1十字軸
231、232ユニバーサルジョイント（回転自在継手）
300回転傾動駆動機構
301電動モータ
302歯車減速機構
303回転駆動軸
304、305円盤クランク
306、307クランクボックス
400下半身用の折り畳み枠
403足枕部
【図１】
0003145787.tif 000003
【図２】
0003145787.tif 000004
【図３】
0003145787.tif 000005